【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
通信システムにおいて使用可能な装置、該装置は下記を具備する：
変調された合成信号を受信するためそして該合成信号の復調された成分を出力するためのデモジュレータ；及び
デモジュレータから出力された該復調された成分を受信するためそしてそこから時間平均ＤＣ成分を削除するための引き算ユニット。
【請求項２】
請求項１にしたがった装置、該装置は下記をさらに具備する：
未訂正の変調された合成信号を受信するため、利得訂正を提供するため、そして該デモジュレータに対応する利得訂正され変調された合成信号を出力するための自動利得訂正ユニット；及び
該引き算ユニットから出力された該復調された成分を受信するためそして対応する複数のシンボルビットを出力するためのシンボルデコーダ。
【請求項３】
請求項２にしたがった装置、該装置は下記をさらに具備する：
該デモジュレータから該復調された成分を受信するためそして対応するローパス信号成分を出力するためのローパスフィルタ；
該ローパスフィルタから該ローパス信号成分を受信するためそして対応する推定されたＤＣ成分を出力するためのＤＣ推定器；及び
該ＤＣ推定器から該推定されたＤＣ成分を受信するためそして該時間平均ＤＣ成分として時間の期間にわたって計算されたＤＣ平均を該引き算ユニットに出力するためのＤＣアベレージャ。
【請求項４】
請求項２にしたがった装置、ここにおいて、該装置は、ワイアレス通信システム中のハンドセットであり、該装置は下記をさらに具備する：
該自動利得訂正ユニットにワイアレス信号を通信するためのアンテナ；
該シンボルデコーダから出力された該複数のシンボルビットを対応するアナログ信号に変換するためのコンバータユニット；及び
該コンバータユニットからの該アナログ信号を音響信号に変換するトランスデューサ。
【請求項５】
請求項２にしたがった装置、ここにおいて、該装置は、ハンドセット中での使用に適合した集積回路であり、該ハンドセットは下記を具備する：
該自動利得訂正ユニットにワイアレス信号を通信するためのアンテナ；
該シンボルデコーダから出力された該複数のシンボルビットを対応するアナログ信号に変換するためのコンバータユニット；及び
該コンバータユニットからの該アナログ信号を音響信号に変換するトランスデューサ。
【請求項６】
請求項５にしたがった装置、ここにおいて、該通信システムは、該アンテナに該ワイアレス信号を送信するための送信機をさらに具備する。
【請求項７】
請求項２にしたがった装置、ここにおいて、該装置は、該通信システム内部で動作するように設定されたハンドセット中で実行可能なコードをランさせるプログラム可能なマイクロプロセッサである。
【請求項８】
請求項２にしたがった装置、ここにおいて、該未訂正の変調された合成信号は、カドラチャフェーズシフトキーイング信号である。
【請求項９】
請求項１にしたがった装置、該装置は下記をさらに具備する：
該デモジュレータから該復調された成分を受信するためそして対応するローパス信号成分を出力するためのローパスフィルタ；
該ローパスフィルタから該ローパス信号成分を受信するためそして対応する推定されたＤＣ成分を出力するためのＤＣ推定器；及び
該ＤＣ推定器から該推定されたＤＣ成分を受信するためそして該時間平均ＤＣ成分として該引き算ユニットに時間の期間にわたって計算されたＤＣ平均を出力するためのＤＣアベレージャ。
【請求項１０】
請求項１にしたがった装置、前記デモジュレータはインフェーズ（Ｉ）出力及びカドラチャフェーズ（Ｑ）出力を有する、そして前記引き算ユニットは該デモジュレータの該インフェーズ（Ｉ）出力からＤＣ成分を引き算するインフェーズ（Ｉ）減算器及び該カドラチャフェーズ（Ｑ）出力からＤＣ成分を引き算するカドラチャフェーズ（Ｑ）減算器を有する、
ここにおいて、該（Ｉ）減算器からの該出力及び該（Ｑ）減算器からの該出力は、該複数のシンボルビットを生成するために該シンボルデコーダに入力される。
【請求項１１】
通信システムにおいて使用可能な装置、該装置は下記を具備する：
変調された信号を受信するため、利得訂正を提供するため、そして対応する利得訂正され変調された信号を出力するための自動利得訂正ユニット；及び
該自動利得訂正ユニットから該利得訂正され変調された信号を受信するためそしてそこから時間平均ＤＣ成分を削除するための引き算ユニット。
【請求項１２】
請求項１１にしたがった装置、該装置は下記をさらに具備する：
該引き算ユニットから出力された該信号を受信するためそして該受信された信号に対応する複数のシンボルビットを出力するためのシンボルデコーダ。
【請求項１３】
請求項１２にしたがった装置、該装置は下記をさらに具備する：
該自動利得訂正ユニットから該利得訂正され変調された信号を受信するためそして対応するローパス信号成分を出力するためのローパスフィルタ；
該ローパスフィルタから該ローパス信号成分を受信するためそして対応する推定されたＤＣ成分を出力するためのＤＣ推定器；及び
該ＤＣ推定器から該推定されたＤＣ成分を受信するためそして時間の期間にわたって計算されたＤＣ平均値を出力するためのＤＣアベレージャ、
ここにおいて、該引き算ユニットは、該利得訂正され変調された信号から該時間平均ＤＣ成分を削除するために、該自動利得訂正ユニットからの該利得訂正され変調された信号を該ＤＣアベレージャから出力された該計算されたＤＣ平均と比較する。
【請求項１４】
請求項１２にしたがった装置、ここにおいて、該装置は、ワイアレス通信システム中のハンドセットであり、該装置は下記をさらに具備する：
該自動利得訂正ユニットにワイアレス信号を通信するためのアンテナ；
該シンボルデコーダから出力された該複数のシンボルビットを対応するアナログ信号に変換するためのコンバータユニット；及び
該コンバータユニットからの該アナログ信号を音響信号に変換するトランスデューサ。
【請求項１５】
請求項１２にしたがった装置、ここにおいて、該装置は、ハンドセット中での使用に適合した集積回路であり、該ハンドセットは下記を具備する：
該自動利得訂正ユニットにワイアレス信号を通信するためのアンテナ；
該シンボルデコーダから出力された該複数のシンボルビットを対応するアナログ信号に変換するためのコンバータユニット；及び
該コンバータユニットからの該アナログ信号を音響信号に変換するトランスデューサ。
【請求項１６】
一方法を実行するために適合した装置、前記方法は下記を具備する：
利得訂正され変調された通信信号を受信すること；
結果としての信号を取得するために該通信信号から時間平均されたＤＣ成分を引き算すること；及び
シンボルデコーダに該結果としての信号を送信すること。
【請求項１７】
請求項１６の装置、前記方法は下記をさらに具備する：
ローパス信号を取得するためにローパスフィルタに該利得訂正され変調された通信信号を通過させること；
該ローパス信号からＤＣ成分を取得すること；及び
該時間平均されたＤＣ成分を取得するために該ＤＣ成分を時間平均すること。
【請求項１８】
請求項１６の装置、ここにおいて、該装置は、ワイアレス通信システム中のハンドセットであり、前記方法は下記をさらに具備する：
アンテナによって受信された未訂正の変調された通信信号を該利得訂正され変調された通信信号に変更すること；
該シンボルデコーダから出力された該複数のシンボルビットを対応するアナログ信号に変換すること；及び
該アナログ信号を音響信号に変換すること。
【請求項１９】
請求項１６の装置、ここにおいて、該装置は、ハンドセット中での使用に適合した集積回路であり、前記方法は下記をさらに具備する：
アンテナによって受信された未訂正の変調された通信信号を該利得訂正され変調された通信信号に変更すること；及び
該シンボルデコーダから出力された該複数のシンボルビットを対応するアナログ信号に変換すること、
ここにおいて、該ハンドセットは、該変換されたアナログ信号を受信するためそして該アナログ信号を音響信号に変換するためのトランスデューサを含む。
【請求項２０】
請求項１６の装置、ここにおいて、該利得訂正され変調された通信信号は、カドラチャフェーズシフトキーイング信号であり、前記方法は下記をさらに具備する：
該利得訂正され変調された通信信号をＩ成分及びＱ成分に分離すること；
前記引き算する工程は、該Ｉ成分から時間平均されたＤＣ成分を引き算すること及び該Ｑ成分から時間平均されたＤＣ成分を引き算すること、を具備する；及び
前記送信する工程は、該結果としての信号として該シンボルデコーダに該引き算されたＩ成分及び該引き算されたＱ成分を送信することを具備する。